(57)【要約】【課題】レバーのガタつきを最小限に抑えつつ相手側コネクタとの嵌合状態を確実にロックし得るコネクタを提供すること。【解決手段】コネクタ１００は、ロック部材１４０と、被規制部１６０と、ソレノイド１７０と、規制部材１８０とを備えている。ソレノイド１７０は、プランジャ１７６をＹ方向（所定方向）に沿って規制位置と解除位置との間で駆動する。規制部材１８０は、プランジャ１７６に支持されており、プランジャ１７６の駆動に応じてＹ方向に変位する。プランジャ１７６が解除位置から規制位置まで駆動されると、規制部材１８０の規制部１８２が被規制部１６０に受容され、それによってロック部材１４０によりコネクタ１００と相手側コネクタ２００との嵌合状態のロックを解除することが規制される。【選択図】図１３
2012156032.tif 000002
【特許請求の範囲】
【請求項１】
相手側コネクタと嵌合するコネクタであって、
前記相手側コネクタと前記コネクタとの嵌合状態において前記相手側コネクタに係合して前記嵌合状態をロックするロック部材と、
プランジャを有し且つ所定方向に沿って規制位置と解除位置との間で前記プランジャを駆動するソレノイドと、
規制部を有し且つ前記プランジャに支持された規制部材と、
前記プランジャが前記規制位置にあるとき前記規制部を受容することにより、前記ロック部材による前記ロックの解除を直接的に又は間接的に規制する被規制部と
を備えており、
前記規制部は、前記所定方向と交差する方向である交差方向に延びており、
前記被規制部は、前記プランジャが前記解除位置から前記規制位置まで駆動する際に、前記プランジャの駆動に応じて移動した前記規制部を前記所定方向に沿って受容する
コネクタ。
【請求項２】
請求項１記載のコネクタであって、
前記被規制部は、前記所定方向及び前記交差方向と直交する方向である移動規制方向に移動し始めることにより、前記ロックの解除がなされるように設けられており、
前記規制部の前記移動規制方向におけるサイズ及び形状は、前記規制部が前記被規制部に受容された際に前記被規制部の前記移動規制方向への移動を妨げるようにして決定されている
コネクタ。
【請求項３】
請求項１又は請求項２記載のコネクタであって、
操作された際に変位して前記ロック部材の前記相手側コネクタに対する係合を解除する解除操作部材を更に備えており、
前記被規制部は、前記解除操作部材に設けられており、
前記規制部は、前記プランジャが前記規制位置にあるとき、前記被規制部に受容されることにより前記解除操作部材の前記変位を規制し、それによって、前記ロック部材による前記ロックの解除を間接的に規制する
コネクタ。
【請求項４】
請求項３記載のコネクタであって、
シェルを更に備えており、
前記ロック部材は、ロック軸部とロック部と被押圧部とを有していると共に、前記ロック軸部の回りに回動可能となるように前記シェルに保持されており、
前記ロック軸部は、前記ロック部と前記被押圧部との間に位置しており、
前記解除操作部材は、操作軸部と被操作部と押圧部とを有していると共に、前記操作軸部の回りに回動可能となるように前記シェルに保持されており、
前記操作軸部は、前記被操作部と前記押圧部との間に位置しており、
前記被操作部が操作されると、前記押圧部が前記被押圧部を押圧し、それによって前記相手側コネクタとの前記ロック部の係合が解除されるコネクタにおいて、
前記被規制部は、前記操作軸部に対してよりも前記押圧部に対して近い位置に設けられている
コネクタ。
【請求項５】
請求項１乃至請求項４のいずれかに記載のコネクタであって、
前記被規制部は、前記所定方向に凹んだ凹部である
コネクタ。
【請求項６】
請求項５記載のコネクタであって、
前記規制部の前記被規制部への受容をガイドするガイド部を更に備えている
コネクタ。
【請求項７】
請求項５又は請求項６記載のコネクタであって、
前記プランジャには、前記交差方向において前記プランジャを貫通する保持孔が形成されており、
前記規制部材は、前記保持孔に挿入支持されている
コネクタ。
【請求項８】
請求項５乃至請求項７のいずれかに記載のコネクタであって、
前記規制部材は、棒状形状を有している
コネクタ。
【請求項９】
請求項８記載のコネクタであって、
前記交差方向は、前記所定方向と直交する方向である
コネクタ。
【請求項１０】
請求項１乃至請求項９のいずれかに記載のコネクタであって、
前記ソレノイドは、プル型ソレノイドであり、
前記プランジャは、前記解除位置にあるときには、前記規制位置にあるときと比較して前記所定方向の外側に突出している
コネクタ。
【請求項１１】
請求項１乃至請求項１０のいずれかに記載のコネクタであって、
前記プランジャの駆動に伴う前記規制部の移動を前記所定方向に向かうようにガイドするガイドプレートを更に備えている
コネクタ。
【発明の詳細な説明】
【技術分野】
【０００１】
本発明は、例えば電気自動車への給電に用いられるコネクタに関する。
【背景技術】
【０００２】
給電に用いられるコネクタには、大電流を供給するための電源ピン又は電源コンタクトが設けられている。給電の際、これら電源ピン又は電源コンタクトには大電流が流れていることから、給電中のコネクタとその相手側コネクタとの嵌合状態が解除されてしまうと非常に危険である。そのため、この種のコネクタには、通常、給電中における嵌合状態の解除を防ぐ機構が設けられている。
【０００３】
かかる機構の設けられたコネクタとしては、例えば、特許文献１や特許文献２に開示されたものがある。特許文献１のコネクタは、電磁コイルとその電磁コイルによって駆動されるプランジャとを有するプッシュ型のソレノイドを備えており、給電時にはプランジャを所定量突出させ、その突出したプランジャを操作レバーに形成された穴に挿入することによって、操作レバーの誤った操作を防止している。特許文献２のコネクタは、同様なプッシュ型ソレノイドを備えており、給電時にはプランジャを解除レバーに形成された穴に挿入することによって解除レバーを変位させないようにして、意図しないロック解除を防止している。
【先行技術文献】
【特許文献】
【０００４】
【特許文献１】特開平６−１８８０４４号公報
【特許文献２】特開平７−８５９２６号公報
【発明の概要】
【発明が解決しようとする課題】
【０００５】
レバーを確実に変位不能とするためには、レバーに設けられた穴の形状及びサイズがプランジャの形状及びサイズとほぼ同じ程度でなければならない。さもないと、レバーがガタついてしまうためである。
【０００６】
しかしながら、レバーの穴の形状及びサイズとプランジャの形状及びサイズとがほぼ同じ場合、ソレノイドの駆動の際にレバーの穴の位置がプランジャから少しでもずれてしまっていると、プランジャが穴に挿入されず、給電時にもかかわらずコネクタ間の嵌合状態が適切にロックされないといった問題が生じてしまう。
【０００７】
そこで、本発明は、レバーのガタつきを最小限に抑えつつ相手側コネクタとの嵌合状態を確実にロックし得るコネクタを提供することを目的とする。
【課題を解決するための手段】
【０００８】
本発明は、第１のコネクタとして、
相手側コネクタと嵌合するコネクタであって、
前記相手側コネクタと前記コネクタとの嵌合状態において前記相手側コネクタに係合して前記嵌合状態をロックするロック部材と、
プランジャを有し且つ所定方向に沿って規制位置と解除位置との間で前記プランジャを駆動するソレノイドと、
規制部を有し且つ前記プランジャに支持された規制部材と、
前記プランジャが前記規制位置にあるとき前記規制部を受容することにより、前記ロック部材による前記ロックの解除を直接的に又は間接的に規制する被規制部と
を備えており、
前記規制部は、前記所定方向と交差する方向である交差方向に延びており、
前記被規制部は、前記プランジャが前記解除位置から前記規制位置まで駆動する際に、前記プランジャの駆動に応じて移動した前記規制部を前記所定方向に沿って受容する
コネクタを提供する。
【０００９】
また、本発明は、第２のコネクタとして、第１のコネクタであって、
前記被規制部は、前記所定方向及び前記交差方向と直交する方向である移動規制方向に移動し始めることにより、前記ロックの解除がなされるように設けられており、
前記規制部の前記移動規制方向におけるサイズ及び形状は、前記規制部が前記被規制部に受容された際に前記被規制部の前記移動規制方向への移動を妨げるようにして決定されている
コネクタを提供する。
【００１０】
また、本発明は、第３のコネクタとして、第１又は第２のコネクタであって、
操作された際に変位して前記ロック部材の前記相手側コネクタに対する係合を解除する解除操作部材を更に備えており、
前記被規制部は、前記解除操作部材に設けられており、
前記規制部は、前記プランジャが前記規制位置にあるとき、前記被規制部に受容されることにより前記解除操作部材の前記変位を規制し、それによって、前記ロック部材による前記ロックの解除を間接的に規制する
コネクタを提供する。
【００１１】
また、本発明は、第４のコネクタとして、第３のコネクタであって、
シェルを更に備えており、
前記ロック部材は、ロック軸部とロック部と被押圧部とを有していると共に、前記ロック軸部の回りに回動可能となるように前記シェルに保持されており、
前記ロック軸部は、前記ロック部と前記被押圧部との間に位置しており、
前記解除操作部材は、操作軸部と被操作部と押圧部とを有していると共に、前記操作軸部の回りに回動可能となるように前記シェルに保持されており、
前記操作軸部は、前記被操作部と前記押圧部との間に位置しており、
前記被操作部が操作されると、前記押圧部が前記被押圧部を押圧し、それによって前記相手側コネクタとの前記ロック部の係合が解除されるコネクタにおいて、
前記被規制部は、前記操作軸部に対してよりも前記押圧部に対して近い位置に設けられている
コネクタを提供する。
【００１２】
また、本発明は、第５のコネクタとして、第１乃至第４のいずれかのコネクタであって、
前記被規制部は、前記所定方向に凹んだ凹部である
コネクタを提供する。
【００１３】
また、本発明は、第６のコネクタとして、第５のコネクタであって、
前記規制部の前記被規制部への受容をガイドするガイド部を更に備えている
コネクタを提供する。
【００１４】
また、本発明は、第７のコネクタとして、第５又は第６のコネクタであって、
前記プランジャには、前記交差方向において前記プランジャを貫通する保持孔が形成されており、
前記規制部材は、前記保持孔に挿入支持されている
コネクタを提供する。
【００１５】
また、本発明は、第８のコネクタとして、第５乃至第７のいずれかのコネクタであって、
前記規制部材は、棒状形状を有している
コネクタを提供する。
【００１６】
また、本発明は、第９のコネクタとして、第８のコネクタであって、
前記交差方向は、前記所定方向と直交する方向である
コネクタを提供する。
【００１７】
また、本発明は、第１０のコネクタとして、第１乃至第９のいずれかのコネクタであって、
前記ソレノイドは、プル型ソレノイドであり、
前記プランジャは、前記解除位置にあるときには、前記規制位置にあるときと比較して前記所定方向の外側に突出している
コネクタを提供する。
【００１８】
更に、本発明は、第１１のコネクタとして、第１乃至第１０のいずれかのコネクタであって、
前記プランジャの駆動に伴う前記規制部の移動を前記所定方向に向かうようにガイドするガイドプレートを更に備えている
コネクタを提供する。
【発明の効果】
【００１９】
本発明によるコネクタにおいては、所定方向と交差する方向（交差方向）に延びる規制部を所定方向に沿って被規制部に受容させることとした。即ち、本発明のコネクタにおいて、被規制部に受容されるのは規制部の突端面ではなく側部となる。
【００２０】
交差方向においては、規制部の側部を被規制部に対して相対的に大きくすることにより規制部を被規制部に受容させやすくすることができる一方、交差方向及び所定方向と直交する方向（即ち、ロック時において被規制部の移動を規制したい方向：移動規制方向）においては規制部のサイズと被規制部のサイズとを実質的に同じくするなどして、規制部が被規制部に受容された際におけるガタつきを抑えて被規制部の移動規制方向への移動を妨げるように規制部のサイズ及び形状を設定することもできる。そのため、本発明によれば、受容させた状態における解除操作部材等のガタつきを生じさせることなく、規制部と被規制部との位置的関係に対する要求を緩和させることができる。従って、本発明によれば、特許文献１や特許文献２のような問題は生じず、嵌合状態のロックの解除を適切にロックすることができる。
【００２１】
特に、被規制部に規制部の受容をガイドするガイド斜面を形成することとすると、上記の位置的関係に対する要求を更に緩和することができる。
【００２２】
また、ソレノイドとして、プル型ソレノイドを使用することとすると、例えば、シェルを嵌合方向に沿って２分割した場合に、シェルの片側にロックに係る機構を組み込みやすくなるといった利点がある。加えて、プル型ソレノイドは、ソレノイドとしては一般的であるのでプッシュ型ソレノイドと比較して入手しやすいという利点もある。
【図面の簡単な説明】
【００２３】
【図１】本発明の実施の形態によるコネクタを示す斜視図である。
【図２】図１のコネクタの主部を切り欠いて示す図である。
【図３】図１のコネクタを示す斜視図である。ここで、第２シェルは外されており、給電コンタクト及び信号コンタクトやそれらに接続された線も外されている。プランジャは、解除位置にある。
【図４】図１のコネクタを示す斜視図である。ここで、第２シェルは外されており、給電コンタクト及び信号コンタクトやそれらに接続された線も外されている。プランジャは、規制位置にある。
【図５】図１のコネクタに含まれているソレノイド、規制部材及びガイドプレートからなるユニットを示す斜視図である。ここで、プランジャは解除位置にある。
【図６】図５のユニットを示す上面図である。
【図７】図５のユニットを示す斜視図である。ここで、プランジャは規制位置にある。
【図８】図３の被規制部と規制部材との関係を示す正面図である。
【図９】図８の被規制部の変形例を示す正面図である。
【図１０】図１のコネクタと嵌合する相手側コネクタを示す斜視図である。
【図１１】図１０のコネクタの径方向中心を含む断面図である。
【図１２】図１のコネクタと図１０の相手側コネクタとの嵌合過程を部分的に切り欠いて示す図である。
【図１３】図１のコネクタと図１０の相手側コネクタとの嵌合状態を部分的に切り欠いて示す図である。
【図１４】図１のコネクタと図１０の相手側コネクタとの抜去過程を部分的に切り欠いて示す図である。
【発明を実施するための形態】
【００２４】
図１乃至図４に示されるように、本発明の実施の形態によるコネクタ１００は、給電側プラグコネクタであり、電気自動車などに設けられた図１０及び図１１の相手側コネクタ（受電側レセプタクルコネクタ）２００と嵌合するものである。
【００２５】
ここで、相手側コネクタ２００は、図１０及び図１１に示されるように、絶縁体からなるハウジング２１０と、ハウジング２１０に保持された受電コンタクト２２０及び信号コンタクト２４０と、ハウジング２１０に形成された段差からなるロック係止部２３０とを備えている。信号コンタクト２４０には信号線２５０が接続されている。
【００２６】
図１乃至図４に示されるように、本実施の形態によるコネクタ１００は、絶縁体からなるハウジング１１０と、ハウジング１１０に保持された信号コンタクト１２０及び給電コンタクト（図示せず）と、コネクタ１００の外殻を形成するシェル１３０と、コネクタ１００と相手側コネクタ２００との嵌合状態をロックするロック部材１４０と、ロック部材（ロックレバー）１４０によるロックの解除を操作するための解除操作部材（リリースレバー）１５０と、解除操作部材１５０に設けられた被規制部１６０と、電磁ロックを構成するソレノイド１７０と、嵌合状態においてソレノイド１７０によって変位させられ被規制部１６０の移動を規制する規制部材１８０と、規制部材１８０の移動をガイドするガイドプレート１９０とを備えている。ここで、被規制部１６０は、例えば、ロック部材１４０の設けられていてもよい。
【００２７】
ハウジング１１０は、略円柱状の形状を有している。ハウジング１１０には、給電コンタクト（図示せず）を保持するための保持孔１１２と信号コンタクト１２０を保持するための保持孔１１４（図２参照）とが前端（嵌合端）から後方に向けて延びるようにして形成されている。給電コンタクト（図示せず）は相手側コネクタ２００に対するコネクタ１００の嵌合時に受電コンタクト２２０に接続して大電流を流すためのものであり、信号コンタクト１２０は同嵌合時に信号コンタクト２４０に接続して信号を伝達するためのものである。
【００２８】
シェル１３０は、図１に示されるように、中心軸を通る面で２つに分割された第１シェル１３２及び第２シェル１３４をネジ止めすることにより構成されるものである。図２乃至図４から理解されるように、信号コンタクト１２０や給電コンタクト（図示せず）を保持したハウジング１１０やロック部材１４０などは、第１シェル１３２に組み込まれ、第２シェル１３４によってそれらを側方から覆うようにしてコネクタ１００が構成される。図１乃至図４に示されるように、シェル１３０には、開口部１３６が形成されている。この開口部１３６は、シェル１３０のうち、相手側コネクタ２００のハウジング２１０に挿入される部位に設けられている。図１及び図２に示されるように、シェル１３０の後端側には、給電時にユーザが握るグリップ１３８が形成されている。
【００２９】
図２乃至図４に示されるように、ロック部材１４０は、ロック部１４２と、ロック軸部１４４と、被押圧部１４６とを有しており、ロック軸部１４４を中心として回動可能となるようにシェル１３０に支持されている。ロック部１４２は、ロック部材１４０の一端に形成されており、上方に突出した断面爪状の形状を有している。このロック部１４２は、コネクタ１００と相手側コネクタ２００との嵌合状態において、シェル１３０の開口部１３６を通って相手側コネクタ２００のロック係止部２３０に係止し、嵌合状態をロックするためのものである（図２及び図１３参照）。被押圧部１４６は、ロック部材１４０の他端に形成されている。即ち、ロック軸部１４４は、ロック部１４２と被押圧部１４６との間に位置している。このため、被押圧部１４６が押し上げられると、ロック部１４２が下がることとなる。なお、ロック部材１４０にはスプリング１４８が取り付けられている。このスプリング１４８は、ロック部１４２を開口部１３６から突出させるように常時付勢している。
【００３０】
図２乃至図４に示されるように、解除操作部材１５０は、被操作部１５２と、操作軸部１５４と、押圧部１５６とを有しており、操作軸部１５４を中心として回動可能となるようにシェル１３０に支持されている。被操作部１５２は、解除操作部材１５０の一端に形成されている。被操作部１５２は、グリップ１３８の上方においてシェル１３０の外側に張り出しており、ユーザが押圧操作可能となっている。押圧部１５６は、解除操作部材１５０の他端に形成されている。即ち、操作軸部１５４は、被操作部１５２と押圧部１５６との間に位置している。このため、被操作部１５２が押し下げられると、押圧部１５６は上方へ移動する。本実施の形態による押圧部１５６は、被押圧部１４６の下側に位置している。従って、被操作部１５２を押圧すると、押圧部１５６が被押圧部１４６を押し上げ、それによってロック部１４２が下がり、ロックが解除される。
【００３１】
本実施の形態による解除操作部材１５０の押圧部１５６として機能する一端は、−Ｚ方向にも延びており、そこに−Ｙ方向に凹んだ凹部からなる被規制部１６０が形成されている。この被規制部１６０のＺ方向における移動を規制すると、押圧部１５６のＺ方向における移動を規制することができる。本実施の形態による被規制部１６０は、操作軸部１５４に対してよりも押圧部１５６に対してより近い位置に設けられている。換言すると、被規制部１６０と押圧部１５６との間の距離は、被規制部１６０と操作軸部１５４との間の距離よりも短い。従って、押圧部１５６の移動を規制するために被規制部１６０に加える力を大きくする必要はない。
【００３２】
この被規制部１６０のＺ方向（移動規制方向）への移動を規制すると、押圧部１５６の上昇も規制され、ロックが解除されることはない。図８に示されるように、本実施の形態による被規制部１６０は、開口端を面取りされ、これによってガイド部１６２を構成している。具体的には、ガイド部１６２は、Ｙ方向（所定方向）及びＺ方向と斜交している。
【００３３】
図５乃至図７に示されるように、ソレノイド１７０は、フレーム１７２と、フレーム１７２に保持されると共に給電時に通電される電磁コイル１７４と、電磁コイル１７４によってＹ方向に沿って解除位置（図３、図５及び図６）と規制位置（図４及び図７）との間で駆動されるプランジャ１７６とを備えている。本実施の形態によるソレノイド１７０は、プル型ソレノイドであり、プランジャ１７６の解除位置は、規制位置よりもＹ方向外側に位置している。即ち、プランジャ１７６は、解除位置にあるときには、規制位置にあるときと比較してＹ方向外側に突出している。このため、ロック部材１４０、解除操作部材１５０及びソレノイド１７０などの構成要素をすべて動作可能な状態で第１シェル１３２側に取り付けることができる。即ち、本実施の形態によるコネクタ１００には、第１シェル１３２と第２シェル１３４とを組み合わせることで動作可能となるような構造物は設けられていない。このようにプル型ソレノイドを用いることとすると、第１シェル１３２側に構成要素を取り付けた後、第２シェル１３４で覆えばよいことから、組立が容易になる。
【００３４】
図５に示されるように、プランジャ１７６には、Ｘ方向（交差方向）においてプランジャ１７６を貫通する保持孔１７８が形成されており、その保持孔１７８に対して棒状形状の規制部材１８０の被支持部１８４が挿入支持されている（図５及び図６参照）。なお、本実施の形態において規制部材１８０の延びる方向（即ち、保持孔１７８の貫通方向）はＹ方向と直交しているが、これらはＹ方向と交差していれば直交していなくともよい。
【００３５】
図８に示されるように、規制部材１８０の規制部１８２の直径は、被規制部１６０のＺ方向（移動規制方向）におけるサイズに実質的に等しい。一方、図３乃至図７に示されるように、規制部材１８０は、プランジャ１７６に支持された状態で、Ｘ方向に延びている。即ち、規制部材１８０の部位のうち規制部１８２として機能し得る部位のＸ方向におけるサイズは被規制部１６０のＸ方向におけるサイズよりも大きい。
【００３６】
この規制部材１８０は、プランジャ１７６の駆動に応じて、Ｙ方向に沿って移動する。ここで、ソレノイド１７０に駆動されるプランジャ１７６はＹ方向に沿って移動すると共に一般的には自身の軸の周りに回転してしまう可能性がある。即ち、プランジャ１７６に支持された規制部材１８０も回動してしまう可能性がある。本実施の形態においては、ガイドプレート１９０を設けることとし、規制部材１８０の規制部１８２の移動方向をＹ方向に沿うようにしている。
【００３７】
図３に示されるように、プランジャ１７６が解除位置にあるとき、規制部材１８０は被規制部１６０から離れた状態ある。即ち、プランジャ１７６が解除位置にあるとき、規制部材１８０の規制部１８２は被規制部１６０の移動の妨げにはならない。プランジャ１７６が解除位置から規制位置（図４）まで駆動する際に、プランジャ１７６の駆動に応じて規制部材１８０の規制部１８２は被規制部１６０に受容される。このとき、解除操作部材１５０にはガイド部１６２が設けられていることから、規制部１８２のＺ方向における位置と被規制部１６０のＺ方向における位置とが僅かにズレていたとしても、規制部１８２はガイド部１６２によってガイドされ被規制部１６０内に受容されることができる。このように、規制部１８２が被規制部１６０に受容されると、解除操作部材１５０の変位が規制される。これにより、解除操作部材１５０の操作が不能となり、従って、コネクタ１００と相手側コネクタ２００との嵌合状態においてはロック部材１４０によるロックの解除が規制される。
【００３８】
図８に示された被規制部１６０は、Ｚ方向において一定のサイズを有している。しかしながら、本発明はこれに限定されるわけではない。例えば、図９に示されるように、被規制部１６０ａは、ガイド部１６２ａと連続している斜面であってもよい。かかる構成とすると、規制部材１８０の径が設計変更等で変動したとしてもロック解除の規制が適切になされることとなる。
【００３９】
図１２乃至図１４を更に参照して、コネクタ１００と相手側コネクタ２００との嵌合抜去動作を説明する。
【００４０】
図１２に示されるように、コネクタ１００を相手側コネクタ２００に挿入すると、ロック部材１４０のロック部１４２はスプリング１４８の付勢に抗って、相手側コネクタ２００のハウジング２１０の内壁２１２内に潜り込む。
【００４１】
更に、コネクタ１００の相手側コネクタ２００への挿入が進み、図１３に示されるようにコネクタ１００と相手側コネクタ２００とが完全に嵌合すると、ロック部１４２は、Ｘ方向において内壁２１２を超え、スプリング１４８により初期位置に復帰する。この状態においては、コネクタ１００を相手側コネクタ２００から抜去しようとしても、ロック部１４２がロック係止部２３０に係止することから嵌合状態はロックされている。このとき、ソレノイド１７０は通電状態にあり、プランジャ１７６は規制位置にある。従って、規制部１８２は被規制部１６０内に受容されており、解除操作部材１５０の変位は規制され、解除操作部材１５０の誤操作による意図しないロック解除が防止される。
【００４２】
充電が終了し、コネクタ１００を相手側コネクタ２００から抜去する際には、ソレノイド１７０への通電が解除され、プランジャ１７６が解除位置に復帰する。これにより、規制部１８２が被規制部１６０から抜け出ることとなり、解除操作部材１５０の操作が可能となる。その状態において、被操作部１５２を押し下げると、押圧部１５６が被押圧部１４６押し上げ、それによってロック部１４２が押し下げられる。これにより、ロック部１４２のロック係止部２３０に対する係止が解除され、コネクタ１００を相手側コネクタ２００から抜去することができる。
【００４３】
以上、本発明について実施の形態を掲げて具体的に説明してきたが、本発明はこれに限定されるわけではない。例えば、上述した実施の形態においては、嵌合方向がＸ方向であり、所定方向がそれと直交するＹ方向であったが、本発明はこれに限定されるわけではなく、例えば嵌合方向と所定方向とが平行であってもよい。
【００４４】
また、上述した実施の形態ではプランジャ１７６と規制部材１８０とは別体であったが、これらを一体で形成してもよい。
【符号の説明】
【００４５】
１００        コネクタ（給電側プラグコネクタ）
１１０        ハウジング
１１２        保持孔
１１４        保持孔
１２０        信号コンタクト
１３０        シェル
１３２        第１シェル
１３４        第２シェル
１３６        開口部
１３８        グリップ
１４０        ロック部材（ロックレバー）
１４２        ロック部
１４４        ロック軸部
１４６        被押圧部
１４８        スプリング
１５０，１５０ａ        解除操作部材（リリースレバー）
１５２        被操作部
１５４        操作軸部
１５６        押圧部
１６０，１６０ａ        被規制部
１６２，１６２ａ        ガイド部
１７０        ソレノイド
１７２        フレーム
１７４        電磁コイル
１７６        プランジャ
１７８        保持孔
１８０        規制部材
１８２        規制部
１８４        被支持部
１９０        ガイドプレート
２００        相手側コネクタ（受電側レセプタクルコネクタ）
２１０        ハウジング
２１２        内壁
２２０        受電コンタクト
２３０        ロック係止部
２４０        信号コンタクト
２５０        信号線
【図１】
2012156032.tif 000003
【図２】
2012156032.tif 000004
【図３】
2012156032.tif 000005
【図４】
2012156032.tif 000006
【図５】
2012156032.tif 000007
【図６】
2012156032.tif 000008
【図７】
2012156032.tif 000009
【図８】
2012156032.tif 000010
【図９】
2012156032.tif 000011
【図１０】
2012156032.tif 000012
【図１１】
2012156032.tif 000013
【図１２】
2012156032.tif 000014
【図１３】
2012156032.tif 000015
【図１４】
2012156032.tif 000016